(57)【要約】【課題】片手で保持した状態で、保持した手により取出部を容易に開閉できる家庭用薄葉紙収納容器を提供する。【解決手段】家庭用薄葉紙収納容器１００は、内側に家庭用薄葉紙Ｐを収納し、収納された家庭用薄葉紙Ｐを外側に取り出す取出部１０７を備えた容器本体１０１と、容器本体１０１に取出部１０７を開閉するように取り付けられたトグルキャップ１２０と、トグルキャップ１２０を閉状態から開状態にする操作を行うための突起部１２２とを備え、片手で把持可能な大きさになっている。トグルキャップ１２０は、下端部が斜めに開放され、下面後側のヒンジにより回動軸１２３を介して上底部１０３ａに回動自在に設けられている。回動軸１２３は、上底部１０３ａの傾斜方向上部側（後側）に設けられ、トグルキャップ１２０を開状態側に付勢するねじりコイルばね１２４が装備されている。【選択図】図１
2008247404.tif 000002
【特許請求の範囲】
【請求項１】
内側に家庭用薄葉紙を収納するとともに、収納された前記家庭用薄葉紙を外側に取り出す取出部を具備する容器本体と、前記容器本体に前記取出部を開閉するように取り付けられた蓋体と、前記蓋体を閉状態から開状態にする操作を行うための操作部と、を備え、片手で把持可能な大きさの家庭用薄葉紙収納容器であって、
前記蓋体は、回動軸を中心に回動自在に設けられ、
前記操作部は、前記回動軸よりも外側に前記蓋体から延出された突起部を備え、
当該家庭用薄葉紙収納容器を把持した手で前記突起部に所定の方向に所定の力を加えることにより前記蓋体が回動して閉状態から開状態となるように構成されていることを特徴とする家庭用薄葉紙収納容器。
【請求項２】
前記容器本体は、前記取出部を備える傾斜面部を備え、
前記蓋体の回動軸が、前記傾斜面部の傾斜方向上部側に設けられていることを特徴とする請求項１に記載の家庭用薄葉紙収納容器。
【請求項３】
前記容器本体に設けられ、前記蓋体を閉状態にしたまま係止する係止部と、
前記蓋体に設けられ、前記係止部により係止される被係止部と、
前記蓋体を開状態側に付勢する付勢部材と、
を備え、
当該家庭用薄葉紙収納容器を把持した手で前記突起部に所定の方向に所定の力を加えることにより、前記係止部による前記被係止部に対する係止が解除されるように構成されていることを特徴とする請求項１又は請求項２に記載の家庭用薄葉紙収納容器。
【請求項４】
前記突起部に、貫通穴が形成されていることを特徴とする請求項１〜３の何れか一項に記載の家庭用薄葉紙収納容器。
【発明の詳細な説明】
【技術分野】
【０００１】
本発明は、ウェットシートやティシュー等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
この家庭用薄葉紙収納容器は、例えば、取出部を有する容器本体と、この容器本体に設けられて取出部を開閉する蓋体と、この蓋体を開閉して取出部を開放させる操作を行うための操作部等から構成されている。
【０００３】
ところで、容器本体から家庭用薄葉紙を取り出す場合、操作部を操作して蓋体を開閉させることにより取出部を開放させる必要があるが、この蓋体の開放動作を容易にするために、例えば、蓋体の一端に設けたプルトップを引き上げることで、蓋体を開放する構成とした家庭用薄葉紙収納容器が知られている（例えば、特許文献１参照）。また、例えば、操作部を押下することで、蓋体を開放する構成とした家庭用薄葉紙収納容器も知られている（例えば、特許文献２参照）。
【特許文献１】特開平８−１５１０８６号公報
【特許文献２】特開２００５−２５５２２１号公報
【発明の開示】
【発明が解決しようとする課題】
【０００４】
しかしながら、上記特許文献１、２に開示される家庭用薄葉紙収納容器の場合、例えば、容器本体をテーブル等の土台上に載置した状態であれば片手で蓋体の開放動作を行うことはできるが、例えば、容器本体を片手で保持したまま、当該保持した片手で蓋体を開放することは困難であった。
【０００５】
そこで、本発明の課題は、片手で保持した状態で、保持した手により取出部を容易に開閉できる家庭用薄葉紙収納容器を提供することである。
【課題を解決するための手段】
【０００６】
上記課題を解決するために、請求項１に記載の発明は、
内側に家庭用薄葉紙を収納するとともに、収納された前記家庭用薄葉紙を外側に取り出す取出部を具備する容器本体と、前記容器本体に前記取出部を開閉するように取り付けられた蓋体と、前記蓋体を閉状態から開状態にする操作を行うための操作部と、を備え、片手で把持可能な大きさの家庭用薄葉紙収納容器であって、
前記蓋体は、回動軸を中心に回動自在に設けられ、
前記操作部は、前記回動軸よりも外側に前記蓋体から延出された突起部を備え、
当該家庭用薄葉紙収納容器を把持した手で前記突起部に所定の方向に所定の力を加えることにより前記蓋体が回動して閉状態から開状態となるように構成されていることを特徴としている。
【０００７】
請求項２に記載の発明は、請求項１に記載の家庭用薄葉紙収納容器において、
前記容器本体は、前記取出部を備える傾斜面部を備え、
前記蓋体の回動軸が、前記傾斜面部の傾斜方向上部側に設けられていることを特徴としている。
【０００８】
請求項３に記載の発明は、請求項１又は請求項２に記載の家庭用薄葉紙収納容器において、前記容器本体に設けられ、前記蓋体を閉状態にしたまま係止する係止部と、
前記蓋体に設けられ、前記係止部により係止される被係止部と、
前記蓋体を開状態側に付勢する付勢部材と、を備え、
当該家庭用薄葉紙収納容器を把持した手で前記突起部に所定の方向に所定の力を加えることにより、前記係止部による前記被係止部に対する係止が解除されるように構成されていることを特徴としている。
【０００９】
請求項４に記載の発明は、請求項１〜３の何れか一項に記載の家庭用薄葉紙収納容器において、前記突起部に、貫通穴が形成されていることを特徴とする。
【発明の効果】
【００１０】
請求項１に記載の発明によれば、蓋体から当該蓋体と容器本体との回動軸よりも外側に延出された突起部に、当該家庭用薄葉紙収納容器を把持した手で所定の方向に所定の力を加えて操作することにより、蓋体が開閉して取出部が開放される。これにより、保持した手により蓋体を容易に開閉して取出部を開閉させることができる。
【００１１】
請求項２に記載の発明によれば、請求項１に記載の発明と同様の効果が得られるのは無論のこと、特に、容器本体が、取出部を備える傾斜面部を備え、回動軸が傾斜面部の傾斜方向上部側に設けられていることにより、例えば、蓋体から延出されて当該蓋体とともに回動軸を中心に回動する突起部が容器本体に当接して回動角度が規制される場合であっても、蓋体を大きく開放させることができる。従って、取出部周辺を大きく開放させることができるため、ユーザは取出部から容易に家庭用薄葉紙を取り出すことができる。
【００１２】
請求項３に記載の発明によれば、請求項１又は請求項２に記載の発明と同様の効果が得られるのは無論のこと、特に、当該家庭用薄葉紙収納容器を把持した手で突起部に所定の方向に所定の力を加えることにより、係止部による被係止部に対する係止が解除されるとともに、付勢部材の付勢力によって蓋体が閉状態から開状態とされる。すなわち、ユーザは、突起部を操作するだけで、蓋体を容易に開状態とすることができる。
【００１３】
請求項４に記載の発明によれば、突起部に形成された貫通穴に、例えば、指を通したり紐等を通したりすることができるため使い勝手がよく、例えば、当該家庭用薄葉紙収納容器を使用したり携帯したりする際の利便性の向上を図ることができる。
【発明を実施するための最良の形態】
【００１４】
以下に、本発明について、図面を用いて具体的な態様を説明する。ただし、発明の範囲は、以下の説明及び図示例に限定されない。
【００１５】
［実施形態１］
図１は、本発明を適用した好適な実施形態１として例示する家庭用薄葉紙収納容器１００の閉状態を示す斜視図であり、図２は、家庭用薄葉紙収納容器１００の開状態を示す斜視図であり、図３は、実施形態１に係る家庭用薄葉紙収納容器１００を示す側面図であり、図４は、実施形態１に係る家庭用薄葉紙収納容器１００の閉状態を示す背面図であり、図５は、図４におけるＡ−Ａ断面を示す横断面図であり、図６は、図５におけるＢ−Ｂ断面を示す横断面図であり、図７は、図５におけるＣ方向矢視を示す家庭用薄葉紙収納容器１００の平面図である。
【００１６】
本実施形態に係る家庭用薄葉紙収納容器１００は、例えば、図１〜７に示すように、内側にロール状の家庭用薄葉紙Ｐ（例えば、ロール状に巻かれたウェットシートやウェットティシュー等のロールペーパー）を収納するとともに、収納された家庭用薄葉紙Ｐを外側に取り出す取出部１０７を具備する容器本体１０１と、この容器本体１０１に取出部１０７を開閉するように取り付けられた蓋体としてのトグルキャップ１２０と、このトグルキャップ１２０を閉状態から開状態にする操作を行うための操作部としての突起部１２２とを備えており、片手で把持可能な大きさになっている。以下、各部を詳しく説明する。
なお、以下の説明では、家庭用薄葉紙収納容器１００の前後方向をＸ軸方向として、トグルキャップ１２０の回動軸１２３が設けられている側を後側とし、反対側を手前側とする。さらに、正面視にて左右方向をＹ軸方向とし、上下方向をＺ軸方向とする。また、ユーザは手前側から家庭用薄葉紙Ｐを取り出すものとする。
【００１７】
容器本体１０１は、当該容器本体１０１の下部をなす有底円筒状のボトル１０２と、当該容器本体１０１の上部をなすネジキャップ１０３とから構成されている。
【００１８】
図１〜４に示すように、ボトル１０２の外周には、ユーザが当該ボトル１０２を片手で把持することを容易とする左右一対の凹部１０４，１０４が設けられている。また、図４、図５に示すように、ボトル１０２の上端には開口部１０２ａが設けられており、当該ボトル１０２の上端部外周には、周方向に沿って雄ネジ部１０２ｂが設けられている。
【００１９】
ネジキャップ１０３は、上底部１０３ａを有するとともに下端部が開放された有底円筒状をなし、開放された下端部の内周面には上記雄ネジ部１０２ｂと螺合する雌ネジ部１０３ｂが設けられている。そして、容器本体１０１は、ボトル１０２とネジキャップ１０３とが雄ネジ部１０２ｂ，雌ネジ部１０３ｂにより着脱自在に連結されることで、その上部が開閉自在となっており、ボトル１０２からネジキャップ１０３を取り外した状態で、ボトル１０３の内部に家庭用薄葉紙Ｐを収納したり取り出したりすることができるようになっている。なお、本実施形態では、家庭用薄葉紙Ｐが、上下方向（Ｚ軸方向）を中心としてロール状に巻かれた状態で容器本体１０１に収納される。
【００２０】
さらに、ネジキャップ１０３（容器本体１０１）の上底部１０３ａには、容器本体１０１の内部に収納された家庭用薄葉紙Ｐを容器本体１０１の外側に取り出すための取出部１０７が設けられている。取出部１０７は、例えば、図２、図５に示すように、上底部１０３ａのほぼ中央部に形成された凹部１０５内に配設されている。この取出部１０７の周囲には、例えば、円筒状ないし環状の突部１０６が設けられている（図２、図５参照）。この突部１０６は、例えば、図５に示すように、その上端部の外周に、外側に向けて僅かに凸とされた縁部１０６ａを備えており、トグルキャップ１２０を閉状態にしたまま係止する本発明の係止部として機能するようになっている。
【００２１】
さらに、上底部１０３ａは、トグルキャップ１２０との連結部である回動軸１２３から取出部１０７側に向けて下り勾配となるように傾斜している（図２、図３、図５参照）。具体的に、上底部１０３ａは、例えば、図３に示すように、回動軸１２３を介してトグルキャップ１２０と連結される後側が高く、手前側が低くなるように傾斜しており、斜面の中腹に取出部１０７が配置されている。つまり、上底部１０３ａは、取出部１０７を備える本発明の傾斜面部として機能するようになっている。なお、この上底部１０３ａは、手前側の高さが後側の高さと同じかそれ以下であればよく、例えば、ボトル１０２の下底部と平行に、すなわち、ボトル１０２の軸線方向に対して垂直に設けられていてもよい。
【００２２】
ここで、本実施形態におけるトグルキャップ１２０の構成について説明する。
トグルキャップ１２０は、例えば、図５に示すように、下端部がネジキャップ１０３の上底部１０３ａと合致するようにして斜めに開放された略ドーム状の蓋体であって、下面の後側に設けられたヒンジにより、Ｙ軸方向に沿う回動軸１２３を介してネジキャップ１０３の上底部１０３ａに対して回動自在に設けられている。回動軸１２３は、上底部１０３ａの後側、すなわち、上底部１０３ａの傾斜方向上部に配されている。この回動軸１２３には、例えば、図６に示すように、トグルキャップ１２０を開状態側に付勢する付勢部材としてのねじりコイルばね１２４が装備されている。そして、トグルキャップ１２０は、ねじりコイルばね１２４の付勢力により、開状態側に向けて常時付勢されている。
【００２３】
トグルキャップ１２０の下面には、例えば、図５に示すように、取出部１０７を閉状態とした際に突部１０６と嵌合する嵌合部１２１が設けられている（図１参照）。この嵌合部１２１は、取出部１０７を閉状態にする際に、突部１０６の外周が当該嵌合部１２１の内周と接するようにして内挿されるように、トグルキャップ１２０の下面から円筒状ないし環状に突設されている。さらに、嵌合部１２１は、例えば、図５に示すように、下端部の内周に内側に向けて僅かに凸とされた縁部１２１ａを有しており、当該縁部１２１ａが突部１０６の縁部１０６ａに係止される。すなわち、かかる縁部１２１ａは、上記係止部としての突部１０６により係止される本発明の被係止部として機能するようになっている。
【００２４】
次に、突起部１２２の構成について説明する。
突起部１２２は、トグルキャップ１２０の後側に設けられており、上記回動軸１２３よりも外側に延出するようにしてトグルキャップ１２０と一体に成形されている。この突起部１２２は、例えば、図１、図３に示すように、トグルキャップ１２０に連結された基端部から先端部にかけて、斜め上向きに傾斜するようにして突設されている。そして、この突起部１２２を上方から下方（所定の方向）に所定の力で押し下げる操作により、回動軸１２３を支点としてトグルキャップ１２０の先端が上底部１０３ａから離隔することで、突起部１０６の縁部１０６ａによる嵌合部１２１の縁部１２１ａに対する係止が解除されるようになっている。
【００２５】
次に、実施形態１に係る家庭用薄葉紙収納容器１００の作用について説明する。
まず、ユーザは、何れか一方の手で、つまり片手でボトル１０２を保持する。その際、凹部１０４に指を当てることでボトル１０２をしっかりと保持することが容易となる。
そして、家庭用薄葉紙Ｐを取り出す際には、片手でボトル１０２を保持したまま、当該ボトル１０２を保持した手のうち何れかの指で突起部１２２を上方から下方に押し下げてトグルキャップ１２０を開状態とする。その際、ユーザが突起部１２２を押し下げて突起部１０６と嵌合部１２１との係止が解除されると、ねじりコイルばね１２４の付勢力により、トグルキャップ１２０が自動的に開状態に配置されて取出部１０７が開放されることとなる（図３参照）。そして、トグルキャップ１２０が開状態に配置されると、例えば、図３において破線で示すように、トグルキャップ１２０の下端部とネジキャップ１０３の上底部１０３ａとが、側面視にて、例えば、９０°以上開放されることになる。
【００２６】
以上説明したように、実施形態１に係る家庭用薄葉紙収納容器１００によれば、取出部１０７を開閉するトグルキャップ１２０のヒンジ（回動軸１２３）よりも外側に延出された突起部１２２に、家庭用薄葉紙収納容器１００を把持した手で上方から下方に向け所定の力を加えて操作することで、トグルキャップ１２０を容易に開閉して取出部１０７を開放することができる。これにより、例えば、容器本体１０１を安定に載置する土台等がない屋外や車中等においても、容器本体１０１を片手で保持した状態で、保持した手によりトグルキャップ１２０を容易に開閉して取出部１０７を開閉させることができる。また、突起部１２２をトグルキャップ１２０と一体に形成することができるため、安価に上述した効果を得ることができる。
【００２７】
また、回動軸１２３をトグルキャップ１２０の後側に配置して、上底部１０３ａを手前側が低くなるように傾斜させ、且つ、突起部１２２の先端である後側を基端部よりも上方となるように延出させたことにより、トグルキャップ１２０を大きく（具体的には、例えば、９０°以上）開放させることができる。従って、トグルキャップ１２０を開状態とした際に、取出部１０７の周辺をユーザ側（手前側）に向けて大きく開放させることができるため、ユーザは取出部１０７から容易に家庭用薄葉紙Ｐを取り出すことができる。
【００２８】
また、突起部１２２を上方から下方に所定の力を加えて操作することで、縁部１０６ａによる縁部１２１ａに対する係止を容易に解除することができると共に、当該係止を解除することで、ねじりコイルばね１２４の付勢力によりトグルキャップ１２０を閉状態から開状態に容易に開放することができる。すなわち、ユーザは、突起部１２２を上方から下方に操作するだけで、トグルキャップ１２０を容易に開状態とすることができるため、例えば、容器本体１０１を片手で保持した状態で、保持した片手により取出部１０７を容易に開放することができる。
【００２９】
また、トグルキャップ１２０を、閉状態と開状態との間で、例えば、９０°以上開閉可能としたことにより、取出部１０７から家庭用薄葉紙Ｐを取り出す際に、トグルキャップ１２０を取り出し動作の妨げとならない位置に配置することができる。従って、取出部１０７をユーザが位置する手前側に向けて大きく開放させることができるため、取出部１０７からの家庭用薄葉紙Ｐの取り出し易さを向上させることができる。
【００３０】
[実施形態２]
次に、実施形態２の家庭用薄葉紙収納容器について説明する。
図８は、本発明を適用した好適な実施形態２として例示する家庭用薄葉紙収納容器２００の閉状態を示す斜視図であり、図９は、実施形態２に係る家庭用薄葉紙収納容器２００を示す側面図であり、図１０は、実施形態２に係る家庭用薄葉紙収納容器２００の閉状態を示す背面図であり図１１は、図１０におけるＥ−Ｅ断面を示す横断面図であり、図１２は、図１１におけるＦ−Ｆ断面を示す横断面図であり、図１３は、図９におけるＤ方向矢視を示す家庭用薄葉紙収納容器２００の斜視図である。
【００３１】
図９に示すように、実施形態２に係る家庭用薄葉紙収納容器２００は、例えば、取出部２０７とその周囲に設けられた突部２０６とが、傾斜したネジキャップ２０３の上底部２０３ａと同じ向きに傾斜するようにして設けられているという点において上記実施形態１と異なっている。
具体的に、家庭用薄葉紙収納容器２００は、例えば、図８〜１３に示すように、内側にロール状の家庭用薄葉紙Ｐを収納するとともに、収納された家庭用薄葉紙Ｐを外側に取り出す取出部２０７を具備する容器本体２０１と、この容器本体２０１に取出部２０７を開閉するように取り付けられた蓋体としてのトグルキャップ２２０と、このトグルキャップ２２０を閉状態から開状態にする操作を行うための操作部としての突起部２２２とを備えており、片手で把持可能な大きさになっている。
【００３２】
容器本体２０１は、当該容器本体２０１の下部をなす有底円筒状のボトル２０２と、当該容器本体２０１の上部をなすネジキャップ２０３とから構成されている。
【００３３】
本実施形態におけるボトル２０２は、例えば、図８〜１１に示すように、外周の下端部が上端部に比べて小径とされたテーパ状の外周面を有し、軸線方向すなわち上下方向における中間部がやや凹状となるように連続的な曲線を創出する形状となっている。また、図４、図５に示すように、ボトル２０２の上端には開口部２０２ａが設けられており、当該ボトル２０２の上端部外周には、周方向に沿って雄ネジ部２０２ｂが設けられている。
【００３４】
ネジキャップ２０３は、軸線方向に対して傾斜した上底部２０３ａを有するとともに下端部が開放された有底円筒状をなしており、開放された下端部の内周面には上記雄ネジ部２０２ｂと螺合する雌ネジ部２０３ｂが設けられている。そして、容器本体２０１は、ボトル２０２とネジキャップ２０３とが雄ネジ部２０２ｂ，雌ネジ部２０３ｂにより着脱自在に連結されることで、その上部が開閉自在とされ、ボトル２０２からネジキャップ２０３を取り外した状態で、ボトル２０３の内部に家庭用薄葉紙Ｐを収納したり取り出したりすることができるようになっている。なお、本実施形態では、家庭用薄葉紙Ｐが、上下方向（Ｚ軸方向）を中心としてロール状に巻かれた状態で容器本体２０１に収納される。
【００３５】
さらに、ネジキャップ２０３（容器本体２０１）の上底部２０３ａには、容器本体２０１の内部に収納された家庭用薄葉紙Ｐを容器本体２０１の外側に取り出すための取出部２０７が設けられている。取出部２０７は、例えば、図１１に示すように、上底部２０３ａのほぼ中央部に形成された凹部２０５内に配設されている。この取出部２０７の周囲には、例えば、円筒状ないし環状の突部２０６が設けられている。この突部２０６は、例えば、図１１に示すように、その上端部の外周に、外側に向けて僅かに凸とされた縁部２０６ａを備えており、トグルキャップ２２０を閉状態にしたまま係止する本発明の係止部として機能するようになっている。
【００３６】
さらに、上底部２０３ａは、トグルキャップ２２０との連結部である回動軸２２３から取出部２０７側に向けて下り勾配となるように傾斜している（図９、図１１参照）。具体的に、上底部２０３ａは、例えば、図１１に示すように、回動軸２２３を介してトグルキャップ２２０と連結される後側が高く、手前側が低くなるように傾斜しており、斜面の中腹に取出部２０７が配置されている。つまり、上底部２０３ａは、取出部２０７を備える本発明の傾斜面部として機能するようになっている。なお、この上底部２０３ａは、手前側の高さが後側の高さと同じかそれ以下であればよく、例えば、ボトル２０２の下底部と平行に、すなわち、ボトル２０２の軸線方向に対して垂直に設けられていてもよい。
【００３７】
ここで、本実施形態におけるトグルキャップ２２０の構成について説明する。
トグルキャップ２２０は、例えば、図８〜１３に示すように、閉状態において上述した上底部２０３ａと同じ向きに傾斜するように設けられた平蓋体であって、下面の後側に設けられたヒンジによりＹ軸方向に沿う回動軸２２３を介してネジキャップ２０３の上底部２０３ａに対して回動自在に設けられている。回動軸２２３は、上底部２０３ａの後側、すなわち、上底部２０３ａの傾斜方向上部に配されている。この回動軸２２３には、例えば、図１２に示すように、トグルキャップ２２０を開状態側に付勢する付勢部材としてのねじりコイルばね２２４が装備されている。そして、トグルキャップ２２０は、ねじりコイルばね２２４の付勢力により、開状態側に向けて常時付勢されている。
【００３８】
トグルキャップ２２０の下面には、例えば、図１１に示すように、取出部２０７を閉状態とした際に突部２０６と嵌合する嵌合部２２１が設けられている。この嵌合部２２１は、取出部２０７を閉状態にする際に、突部２０６の外周が当該嵌合部２２１の内周と接するようにして内挿されるように、トグルキャップ２２０の下面から円筒状ないし環状に突設されている。さらに、嵌合部２２１は、例えば、図１１に示すように、下端部の内周に内側に向けて僅かに凸とされた縁部２２１ａを有しており、当該縁部２２１ａが突部２０６の縁部２０６ａに係止される。すなわち、かかる縁部２２１ａは、上記係止部としての突部２０６により係止される本発明の被係止部として機能するようになっている。
【００３９】
次に、突起部２２２の構成について説明する。
突起部２２２は、トグルキャップ２２０の後側に設けられており、上記回動軸２２３よりも外側に延出するようにしてトグルキャップ２２０と一体に成形されている。この突起部２２２は、例えば、図８〜図１１に示すように、トグルキャップ２２０の上面と連続する面をなすように、基端部から先端部にかけて斜め上向きに傾斜するようにして設けられている。そして、この突起部２２２を上方から下方に押し下げる操作により、回動軸２２３を支点としてトグルキャップ２２０の先端が上底部２０３ａから離隔することで、突起部２０６の縁部２０６ａによる嵌合部２２１の縁部２２１ａに対する係止が解除されるようになっている。
【００４０】
次に、実施形態２に係る家庭用薄葉紙収納容器２００の作用について説明すると、上記実施形態１の場合と同様に、ユーザは、何れか一方の手（片手）でボトル２０２を保持する。そして、家庭用薄葉紙Ｐを取り出す際には、片手でボトル２０２を保持したまま、当該ボトル２０２を保持した手のうち何れかの指で突起部２２２を上方から下方に押し下げてトグルキャップ２２０を開状態とする。その際、ユーザが突起部２２２を押し下げて突起部２０６と嵌合部２２１との係止が解除されると、ねじりコイルばね２２４の付勢力により、トグルキャップ２２０が自動的に開状態に配置されて取出部２０７が開放されることとなる（図９参照）。そして、トグルキャップ２２０が開状態に配置されると、例えば、図９において破線で示すように、トグルキャップ２２０の下端部とネジキャップ２０３の上底部２０３ａとが、側面視にて、例えば、９０°以上開放されることになる。
【００４１】
実施形態２に係る家庭用薄葉紙収納容器２００によれば、取出部２０７とその周囲に設けられた突起部２０６とが、傾斜したネジキャップ２０３の上底部２０３ａと同じ向きに傾斜するようにして設けられていることにより、トグルキャップ２２０を開状態とした際に、ユーザが位置する手前側に向けて取出部２０７を開放させることができる。従って、家庭用薄葉紙Ｐをより一層容易に取り出すことができる。
【００４２】
[実施形態３]
次に、実施形態３の家庭用薄葉紙収納容器について説明する。
図１４は、本発明を適用した好適な実施形態３として例示する家庭用薄葉紙収納容器３００の閉塞状態を示す斜視図であり、図１５は、家庭用薄葉紙収納容器３００の開放状態を示す斜視図である。
図１４に示すように、実施形態３に係る家庭用薄葉紙収納容器３００は、トグルキャップ３２０と一体に形成された突起部３２２に、貫通穴３２２ａを有するという点において上記実施形態１及び実施形態２と異なっている。
【００４３】
具体的に、家庭用薄葉紙収納容器３００は、内側にロール状の家庭用薄葉紙Ｐを収納するとともに、収納された家庭用薄葉紙Ｐを外側に取り出す取出部３０７を具備する容器本体３０１と、この容器本体３０１に取出部３０７を開閉するように取り付けられた蓋体としてのトグルキャップ３２０と、このトグルキャップ３２０を閉状態から開状態にする操作を行うための操作部としての突起部３２２とを備えており、片手で把持可能な大きさになっている。
【００４４】
容器本体３０１は、上部をなすネジキャップ３０３の上底部３０３ａが、ボトル３０２の軸線方向に対して取出部３０７と共に傾斜した有底円筒状をなしている。また、トグルキャップ３２０は、上底部３０３ａに合致する平蓋体であり、さらに、突起部３２２は、トグルキャップ３２０における後側の一端をなし、該トグルキャップ３２０と一体に形成されている。そして、突起部３２２には、貫通穴３２２ａが形成されており、この貫通穴３２２ａに紐や指等を引っかけることができるようになっている。
【００４５】
実施形態３の家庭用薄葉紙収納容器３００によれば、上記実施形態１及び実施形態２と同様の作用を奏し、同様の効果を得ることができる他、突起部に形成された貫通穴に、例えば、指を通したり紐等を通したりすることができるため使い勝手がよく、例えば、当該家庭用薄葉紙収納容器を使用したり携帯したりする際の利便性の向上を図ることができる。
【００４６】
（その他）
なお、容器本体１０１，２０１，３０１の軸線方向（Ｚ軸方向）に対する容器本体１０１，２０１，３０１の上底部１０３ａ、２０３ａ、３０３ａ及びこれと合致するトグルキャップ１２０，２２０，３２０下端部の傾斜角度は、図示例に限定されるものではなく所望に設定することができる。また、これに伴い、トグルキャップ１２０，２２０，３２０の閉状態と開状態との回動角度も所望に設定できることは言うまでもない。
【００４７】
また、上記各実施形態では、回動軸１２３，２２３に、トグルキャップ１２０，２２０を開状態側に付勢するねじりコイルばね１２４，２２４を設けているが、例えば、このねじりコイルばね１２４，２２４を省略してユーザの手動により閉状態から開状態とするようにしてもよい。
【００４８】
また、トグルキャップ１２０，２２０，３２０は、容器本体１０１，２０１，３０１（特に、ネジキャップ１０３，２０３，３０３）と別体からなり、ヒンジにより容器本体１０１，２０１，３０１と連結される構成としているが、例えば、ネジキャップ１０３，２０３，３０３の上面の一部を折曲するようにして容器本体１０１，２０１，３０１と一体に形成してもよい。
【００４９】
また、突起部１２２，２２２，３２２は、蓋体であるトグルキャップ１２０，２２０，３２０と一体としたが、蓋体とは別に構成してもよい。
【００５０】
また、トグルキャップ１２０，２２０，３２０は、例えば、閉状態と開状態の２位置において安定に配置された状態を維持するように、可動範囲内における所定の回動角度よりも閉状態側（取出部１０７，２０７，３０７側）に接近した際には閉状態となるように付勢し、上記所定の回動角度よりも開状態側に配置された際には開状態となるように付勢する構成としてもよい。
【００５１】
また、上記各実施形態においては、家庭用薄葉紙Ｐをロール状とし、この家庭用薄葉紙Ｐが垂直軸（Ｚ軸）を中心に巻かれた状態で容器本体１０１，２０１，３０１に収納されている場合を例に説明したが、例えば、複数枚の家庭用薄葉紙Ｐ、…が、継続して収納容器１００，２００，３００から取り出せるように交互に折り重ねられて積層した状態で収納されていてもよい。
【図面の簡単な説明】
【００５２】
【図１】本発明を適用した好適な実施形態１として例示する家庭用薄葉紙収納容器の閉状態を示す斜視図である。
【図２】実施形態１に係る家庭用薄葉紙収納容器の開状態を示す斜視図である。
【図３】実施形態１に係る家庭用薄葉紙収納容器を示す側面図である。
【図４】実施形態１に係る家庭用薄葉紙収納容器の閉状態を示す背面図である。
【図５】図４におけるＡ−Ａ断面を示す横断面図である。
【図６】図５におけるＢ−Ｂ断面を示す横断面図である。
【図７】図５におけるＣ方向矢視を示す家庭用薄葉紙収納容器の平面図である。
【図８】本発明を適用した好適な実施形態２として例示する家庭用薄葉紙収納容器の閉状態を示す斜視図である。
【図９】実施形態２に係る家庭用薄葉紙収納容器を示す側面図である。
【図１０】実施形態２に係る家庭用薄葉紙収納容器の閉状態を示す背面図である。
【図１１】図１０におけるＥ−Ｅ断面を示す横断面図である。
【図１２】図１１におけるＦ−Ｆ断面を示す横断面図である。
【図１３】図９におけるＤ方向矢視を示す家庭用薄葉紙収納容器の斜視図である。
【図１４】実施形態３の家庭用薄葉紙収納容器の閉塞状態を示す斜視図である。
【図１５】実施形態３の家庭用薄葉紙収納容器の閉塞状態を示す斜視図である。
【符号の説明】
【００５３】
１００、２００、３００  家庭用薄葉紙収納容器
１０１、２０１、３０１  容器本体
１０２、２０２，３０２  ボトル
１０３、２０３、３０３  ネジキャップ
１０３ａ、２０３ａ、３０３ａ  上底部（傾斜面部）
１０４  凹部
１０５、２０５  凹部
１０６、２０６  突部
１０６ａ、２０６ａ  縁部（係止部）
１０７、２０７、３０７、４０７  取出部
１２０、２２０，３２０  トグルキャップ（蓋体）
１２１、２２１  嵌合部
１２１ａ、２２１ａ  縁部（被係止部）
１２２、２２２，３２２  突起部（操作部）
１２３、２２３  回動軸
１２４，２２４  ねじりコイルばね（付勢部材）
Ｐ  家庭用薄葉紙
Ｐ１  ミシン目
【図１】
2008247404.tif 000003
【図２】
2008247404.tif 000004
【図３】
2008247404.tif 000005
【図４】
2008247404.tif 000006
【図５】
2008247404.tif 000007
【図６】
2008247404.tif 000008
【図７】
2008247404.tif 000009
【図８】
2008247404.tif 000010
【図９】
2008247404.tif 000011
【図１０】
2008247404.tif 000012
【図１１】
2008247404.tif 000013
【図１２】
2008247404.tif 000014
【図１３】
2008247404.tif 000015
【図１４】
2008247404.tif 000016
【図１５】
2008247404.tif 000017